(57)【要約】【課題】  マルチサイトで構成された業務用無線ネットワークシステムにおいて、各リピータコントローラが管理センターのホストコンピュータに対してネットワークコントローラとして機能する遠隔マルチソフトウエア更新方式とその方法の提供を目的とする。【解決手段】  管理センターのホストコンピュータ１２は、複数のサイト２０、３０のいずれか１つのサイトを構成するリピータコントローラ２２〜２５、３２〜３５のいずれか１つを指定し、指定されたリピータコントローラは、ネットワークコントローラとして機能するネットワーク制御部を有し、ホストコンピュータ１２の指定を受けると、次のいずれかのサイトの、いずれかのリピータコントローラを指定するという手順を繰り返すことにより、マルチサイトの業務用無線ネットワークシステムのソフトウエアの更新を行う。【選択図】      図１
2007034844.tif 000002
【特許請求の範囲】
【請求項１】
複数のサイトのルータと管理センターのホストコンピュータのルータとが公衆通信網により接続されて成るマルチサイトの業務用無線ネットワークシステムにおいて、
前記サイトは、複数のリピータコントローラがシリアルバス又はＬＡＮにより前記ルータに接続されて構成され、
前記管理センターのホストコンピュータは、任意の前記複数のサイトの、任意のリピータコントローラを指定し、
前記複数のリピータコントローラは、ネットワークコントローラとして機能するネットワーク制御部を有し、
前記ホストコンピュータのソフトウエア更新指定を受けると、該リピータコントローラは、自分と自分の属するサイトの他のリピータコントローラのソフトウエアを該指定に従って更新し、
且つ、前記ホストコンピュータと同様に、前記ネットワークコントローラとして次の指定された前記サイトの指定された前記リピータコントローラに、前記ホストコンピュータのソフトウエア更新指定を送信する、
という手順を繰り返すことにより、前記マルチサイトの業務用無線ネットワークシステムのソフトウエアの更新を行うことを特徴とする遠隔マルチソフトウエア更新方式。
【請求項２】
前記リピータコントローラは、さらに、前記管理センターのホストコンピュータのソフトウエア更新指定に対応し、前記ネットワークコントローラとしてソフトウエアの更新を行うため、メンテナンスマネージャ部を有することを特徴とする請求項１に記載の遠隔マルチソフトウエア更新方式。
【請求項３】
前記メンテナンスマネージャ部は、前記管理センターのホストコンピュータのソフトウエア更新指定に対応し、前記複数のサイトの全ての前記リピータコントローラのソフトウエアを更新するか、前記複数のサイトの特定の組み合わせによる前記リピータコントローラのソフトウエアを更新するか、あるいは前記複数のサイトの特定の１サイトの前記リピータコントローラのソフトウエアを更新することを特徴とする請求項１及び２のいずれかに記載の遠隔マルチソフトウエア更新方式。
【請求項４】
複数のリピータコントローラが、シリアルバス又はＬＡＮによりルータに接続されて構成された複数のサイトの前記ルータと、管理センターのホストコンピュータとが公衆通信網により接続されて成るマルチサイトの業務用無線ネットワークシステムの遠隔マルチソフトウエア更新方法であって、
前記管理センターのホストコンピュータのソフトウエア更新指定に対応し、前記複数のサイトの全ての前記リピータコントローラのソフトウエアを更新するステップと、
前記複数のサイトの特定の組み合わせによる前記リピータコントローラのソフトウエアを更新するステップと、
前記複数のサイトの特定の１サイトの前記リピータコントローラのソフトウエアを更新するステップとを有することを特徴とする遠隔マルチソフトウエア更新方法。
【発明の詳細な説明】
【技術分野】
【０００１】
本発明は、無線ネットワークシステムにおけるノードが実行するソフトウエアの更新に係り、詳しくは、業務用無線ネットワークシステムにおける各リピータコントローラのソフトウエアの更新方式とその方法に関する。
【背景技術】
【０００２】
業務用無線ネットワークシステムを構成する各リピータコントローラのソフトウエアは、設置、運用後にバグが発生した場合や、ユーザによるシステムの機能拡張の要求が発生した場合には、システムのソフトウエアの更新が必要となる。このようなソフトウエアの更新作業は、メーカの担当者が実際に現地に赴き、システムを一端停止して直接機器のソフトウエアの更新を行うため時間がかかるというのが一般的である。また更新に当たっては、メンテナンス用ＰＣをコントローラ機器のシリアルポートに直接接続して行われるため、シリアル転送時間が更新時間を決めてしまうという問題がある。
【０００３】
マルチサイトで構成されるネットワークのリピータコントローラは、地理的に広範囲に分散して配置されているため、全てのリピータコントローラを更新するにはさらに時間がかかり、一刻を争うバグの場合には、作業者を増やすなどのコストの増加に繋がることとなる。また、全ての機器の更新が終わるまでシステムの再開ができないため、運用中のサービスに支障をきたすことになる。ソフトウエアの更新は、全てのサイトのコントローラに同一機能の同一バージョンのソフトを載せるものであるため、サイトごとに同じサービスとは限らないでそれぞれの部署や事業所などの細かいセクタ単位で更新したい場合には、細かい制御ができないため、対応が難しいという問題がある。ユーザの携帯電話機側におけるソフトウエアの更新に関する通信端末とそのソフトウエア更新システムが、特許文献１に記載されている。
【特許文献１】特開２００２−２０７５９９号公報
【発明の開示】
【発明が解決しようとする課題】
【０００４】
本発明は、このような問題を解決するためになされたものであり、マルチサイトで構成された業務用無線ネットワークシステムにおいて、各リピータコントローラが管理センターのホストコンピュータに対してネットワークコントローラとして機能する遠隔マルチソフトウエア更新方式及びその方法の提供を目的とする。
【課題を解決するための手段】
【０００５】
本発明の遠隔マルチソフトウエア更新方式は、複数のサイトのルータと管理センターのホストコンピュータのルータとが公衆通信網により接続されて成るマルチサイトの業務用無線ネットワークシステムにおいて、
前記サイトは、複数のリピータコントローラがシリアルバス又はＬＡＮにより前記ルータに接続されて構成され、
前記管理センターのホストコンピュータは、任意の前記複数のサイトの、任意のリピータコントローラを指定し、
前記複数のリピータコントローラは、ネットワークコントローラとして機能するネットワーク制御部を有し、
前記ホストコンピュータのソフトウエア更新指定を受けると、該リピータコントローラは、自分と自分の属するサイトの他のリピータコントローラのソフトウエアを該指定に従って更新し、
且つ、前記ホストコンピュータと同様に、前記ネットワークコントローラとして次の指定された前記サイトの指定された前記リピータコントローラに、前記ホストコンピュータのソフトウエア更新指定を送信する、
という手順を繰り返すことにより、前記マルチサイトの業務用無線ネットワークシステムのソフトウエアの更新を行うことを特徴とする。
【０００６】
本発明の遠隔マルチソフトウエア更新方式の前記リピータコントローラは、さらに、前記管理センターのホストコンピュータのソフトウエア更新指定に対応し、前記ネットワークコントローラとしてソフトウエアの更新を行うため、メンテナンスマネージャ部を有することを特徴とする。
【０００７】
本発明の遠隔マルチソフトウエア更新方式の前記メンテナンスマネージャ部は、前記管理センターのホストコンピュータのソフトウエア更新指定に対応し、前記複数のサイトの全ての前記リピータコントローラのソフトウエアを更新するか、前記複数のサイトの特定の組み合わせによる前記リピータコントローラのソフトウエアを更新するか、あるいは前記複数のサイトの特定の１サイトの前記リピータコントローラのソフトウエアを更新することを特徴とする。
【０００８】
本発明の遠隔マルチソフトウエア更新方法は、複数のリピータコントローラが、シリアルバス又はＬＡＮによりルータに接続されて構成された複数のサイトの前記ルータと、管理センターのホストコンピュータとが公衆通信網により接続されて成るマルチサイトの業務用無線ネットワークシステムの遠隔マルチソフトウエア更新方法であって、
前記管理センターのホストコンピュータのソフトウエア更新指定に対応し、前記複数のサイトの全ての前記リピータコントローラのソフトウエアを更新するステップと、
前記複数のサイトの特定の組み合わせによる前記リピータコントローラのソフトウエアを更新するステップと、
前記複数のサイトの特定の１サイトの前記リピータコントローラのソフトウエアを更新するステップとを有することを特徴とする。
【発明の効果】
【０００９】
本発明によれば、マルチサイトの業務用無線ネットワークシステムにおいて、一度に複数のサイトのリピータコントローラに対して、ソフトウエアの更新が可能となる。したがってクリティカルなバグが発生した場合でも、短時間に修正ソフトウエアの更新ができる。ソフトウエアの更新によるシステム停止期間を短くできるため、ユーザサービスへの影響を軽減することができる。さらに利用条件に応じて、異なるソフトウエアを任意のサイトに接続して更新することが可能となるため、複雑なサイト構成であっても、人的負担が少なく短時間で更新ができる。
【発明を実施するための最良の形態】
【００１０】
本発明による遠隔マルチソフトウエア更新方式の実施の形態について、図を用いて説明する。図１は、本発明による遠隔マルチソフトウエア更新方式におけるマルチサイトの業務用無線ネットワークシステムのシステム構成図である。マルチサイトを構成するサイト２０及びサイト３０は、それぞれルータ２１、３１及びリピータコントローラ２２〜２５、３２〜３５から成り、ルータ２１、３１は公衆通信網５０を介してセンタのホストコンピュータ１２のルータ１１に接続されている。
【００１１】
図２は、本発明の各サイト２０、３０の構成要素であるリピータコントローラ２２〜２５、３２〜３５の回路構成を示すブロック図である。図２において、リピータコントローラ７０は、図示されていない移動無線端末と無線接続するアンテナ７１と、アンテナ７１を介して移動端末と無線通信する送信部７２及び受信部７３と、無線通信の情報を変復調するＭＯＤＥＭ部と、マルチサイトを構成するサイト２０又はサイト３０及びセンタと回線通信するためのネットワーク制御部７５と、ソフトウエアの更新を行うメンテナンスマネージャ部７６とを有する。マルチサイトの業務用無線ネットワークシステムとしての動作は、移動端末とリピータコントローラ間で、従来の方法によりお互いのアンテナを介して行われる。
【００１２】
図１において、システムのソフトウエアにバグが確認されたため、全サイトのリピータコントローラのシステムソフトを修正ソフトに更新する場合について説明する。例えば、センタのホストコンピュータ１２が、ルータ１１、公衆通信網５０及びサイト３０のルータ３１を介して、リピータコントローラ３５にシステムの修正ソフトの更新を指定する。
リピータコントローラ３５は、この指定を受けて自分のシステムソフトを更新し、同一サイト３０内のリピータコントローラ３２〜３４へ同様の更新を指定する。リピータコントローラ３２〜３４もこの指定を受けて、自分のシステムソフトを更新する。またリピータコントローラ３５はこの指定によりネットワークコントローラとしても機能するため、サイト２０の例えばリピータコントローラ２２へ、ホストコンピュータから受信したシステムの修正ソフトの更新指定を送信する。リピータコントローラ２２は、リピータコントローラ３５と同様に、この指定を受けて自分のシステムソフトを更新し、同一サイト２０内のリピータコントローラ２３〜２５へ同様の更新を指定し、システムソフトの更新が行われる。
【００１３】
図２においてソフトウエアの更新をさらに詳しく説明する。リピータコントローラ７０のネットワーク制御部７５が、ホストコンピュータ１２からシステムの修正ソフトの更新指定を受信すると、メンテナンスマネージャ部７６はこれを受けて、指定されたソフトの更新処理を行う。さらにメンテナンスマネージャ部７６は、自分の属するサイトの各リピータコントローラへ同様の更新指定を送信するようネットワーク制御部７５に指示すると共に、ネットワークコントローラとしてホストコンピュータの指定する次のサイトのリピータコントローラへ受信した更新指定を送信するよう指示する。ネットワーク制御部７５はこの指示に従い、自分の属するサイトの各リピータコントローラへ更新指定を送信すると共に、ネットワークコントローラとしてホストコンピュータの指定する次のサイトのリピータコントローラへ受信した更新指定を送信する。この動作は、マルチサイトの業務用無線ネットワークシステムの全サイトにおいて一斉に行われ、システムソフトの一連の更新ジョブは瞬時に終了する。
【００１４】
図３は、本発明による遠隔マルチソフトウエア更新方式におけるマルチサイトの業務用無線ネットワークシステムの、サイト数が４つのときのシステム構成図である。このシステム構成の特徴は、ホストコンピュータ１２が、東京本社総務部のサイト１０に所属している点であり、他の晴海埠頭倉庫のサイト２０、仙台支社のサイト３０及び東京本社営業のサイト４０は、図１の場合と同様の構成である。従って図１で説明したシステムソフトの更新ジョブ又はハイエンドのソフトのバージョンアップは、例えばホストコンピュータ１２が東京本社総務のサイト１０のリピータコントローラ１３を、ルータ１１を介して指定することで更新が開始され、リピータコントローラ１３は自分自身とサイト内のリピータコントローラ１４、１５の更新を行う。また図１及び図２で説明したと同様に、リピータコントローラ１３はネットワークコントローラとしても機能するため、次に指定されたサイトのリピータコントローラへ受信した更新指定を送信し、これを繰り返すことで全サイトのリピータコントローラのソフトの更新が行われる。
【００１５】
一部個別呼び出しが可能なソフトのバージョンアップをサイト２０〜４０に対して行う場合、ホストコンピュータ１２は、例えばルータ１１、公衆通信網５０及びルータ４１を介して、東京本社営業部のサイト４０のリピータコントローラ４２に更新指定を送信する。リピータコントローラ４２は、自分自身とサイト内のリピータコントローラ４３〜４５の更新を行い、ネットワークコントローラとして次に指定された仙台支社のサイト３０のリピータコントローラ３２へ受信した更新指定を送信する。リピータコントローラ３２は、自分自身とサイト内のリピータコントローラ３３〜３５の更新を行い、ネットワークコントローラとして次に指定された晴海埠頭倉庫のサイト２０のリピータコントローラ２２へ受信した更新指定を送信する。リピータコントローラ２２は、自分自身とサイト内のリピータコントローラ２３〜２５の更新を行って更新ジョブを終了する。
【００１６】
グループ発着信が可能なソフトのバージョンアップをサイト２０とサイト３０に対して行う場合、ホストコンピュータ１２は、例えばルータ１１、公衆通信網５０及びルータ３１を介して、仙台支社のサイト３０のリピータコントローラ３２に更新指定を送信する。リピータコントローラ３２は、自分自身とサイト内のリピータコントローラ３３〜３５の更新を行い、ネットワークコントローラとして次に指定された晴海埠頭倉庫のサイト２０のリピータコントローラ２２へ受信した更新指定を送信する。リピータコントローラ２２は、自分自身とサイト内のリピータコントローラ３３〜３５の更新を行って更新ジョブを終了する。
【００１７】
グループ着信しかできないようなローエンドのソフトをバージョンアップする場合、ホストコンピュータ１２は、例えばルータ１１、公衆通信網５０及びルータ２１を介して、晴海埠頭倉庫のサイト２０のリピータコントローラ２２に更新指定を送信する。リピータコントローラ２２は、自分自身とサイト内のリピータコントローラ２３〜２５の更新を行って更新ジョブを終了する。
【００１８】
以上、ホストコンピュータからのソフトウエアの更新指定は、任意のリピータコントローラを窓口とすることができ、窓口となったリピータコントローラは、更新の対象でなくても構わないし、複数のリピータコントローラを順次窓口に指定することが可能である。また、図２に示されるブロック図の回路構成は、当該機能を実現する手段であれば、どのような回路又は装置であっても良く、また機能の一部をソフトウエアで実現することも可能である。さらに機能実現手段を、複数の回路によって実現しても良く、複数の機能を単一の回路で実現しても良い。
【００１９】
図４は、本発明による遠隔マルチソフトウエア更新方法の処理の流れを示すフローチャートである。ホストコンピュータからソフトの更新の指定をサイトのリピータコントローラへ送信する（ステップ１００）。更新の指定が全てのサイトのリピータコントローラのソフトを更新する場合は、指定されたサイトのリピータコントローラが自分とサイト内のリピータコントローラのソフト更新を行うと共に、ネットワークコントローラとして、次に指定されたサイトのリピータコントローラへ更新指定を送信し、この動作が全てのサイトで完了するまで繰り返されて終了する（ステップ１１０、ステップ１２０、ステップ１７０）。更新の指定が複数のサイトのリピータコントローラのソフトを更新する場合は、指定されたサイトのリピータコントローラが自分とサイト内のリピータコントローラのソフト更新を行うと共に、ネットワークコントローラとして、次に指定されたサイトのリピータコントローラへ更新指定を送信し、この動作が複数のサイトで完了するまで繰り返されて終了する（ステップ１３０、ステップ１４０、ステップ１７０）。更新の指定が１つのサイトのリピータコントローラのソフトを更新する場合は、指定されたサイトのリピータコントローラが自分とサイト内のリピータコントローラのソフト更新を行って終了する（ステップ１５０、ステップ１６０、ステップ１７０）。
【００２０】
以上説明したように、本発明によると、マルチサイトの業務用無線ネットワークシステムにおいて、一度に複数のサイトのリピータコントローラに対して、ソフトウエアの更新が可能となる。したがってクリティカルなバグが発生した場合でも、短時間に修正ソフトウエアの更新ができる。ソフトウエアの更新によるシステム停止期間を短くできるため、ユーザサービスへの影響を軽減することができる。さらに利用条件に応じて、異なるソフトウエアを任意のサイトに接続して更新することが可能となるため、複雑なサイト構成であっても、人的負担が少なく短時間で更新ができる。
【図面の簡単な説明】
【００２１】
【図１】本発明の遠隔マルチソフトウエア更新方式におけるシステム構成図。
【図２】本発明によるリピータコントローラの回路構成を示すブロック図。
【図３】本発明によるサイト数が４のときのシステム構成図。
【図４】本発明による遠隔マルチソフトウエア更新方法の処理の流れを示すフローチャート。
【符号の説明】
【００２２】
１０、２０、３０、４０  サイト
１１、２１、３１、４１  ルータ
１２  ホストコンピュータ
１３〜１５、２２〜２５、３２〜３５、４２〜４５  リピータコントローラ
５０  公衆通信網
６０  業務用無線ネットワークシステム
７０  リピータコントローラ
７１  アンテナ
７２  送信部
７３  受信部
７４  モデム部
７５  ネットワーク制御部
７６  メンテナンスマネージャ部
【図１】
2007034844.tif 000003
【図２】
2007034844.tif 000004
【図３】
2007034844.tif 000005
【図４】
2007034844.tif 000006